(57)【特許請求の範囲】
【請求項１】
磁性材料により形成される長手状の磁性体コア、この磁性体コアに巻装されるコイル、
および前記磁性体コアを保持するアンテナ枠を有するとともに、外部無線情報を受信する
アンテナと、このアンテナを内部に収納するモジュールと、を備えたアンテナ内蔵式電子
時計におけるアンテナの製造方法であって、
前記磁性体コアは、長手方向における中央部に設けられる前記コイルが巻装されるコイ
ル巻部と、このコイル巻部の両端側に突出する一対のリード部とを備え、
前記アンテナ枠は、前記磁性体コアの一対の前記リード部に対応した一対のリード保持
部、およびこれらのリード保持部を連結するリード連結部材を備え、
前記リード連結部材により連結された一対のリード保持部に前記磁性体コアの一対のリ
ード部を配置して固定し、
前記磁性体コアが前記リード保持部に固定された状態で、前記リード連結部材を一対の
前記リード保持部から切断する
ことを特徴とするアンテナの製造方法。
【請求項２】
磁性材料により形成される長手状の磁性体コア、この磁性体コアに巻装されるコイル、
および前記磁性体コアを保持するアンテナ枠を有するとともに、外部無線情報を受信する
アンテナと、このアンテナを内部に収納するモジュールと、を備えたアンテナ内蔵式電子
時計におけるアンテナの製造方法であって、
前記磁性体コアは、長手方向における中央部に設けられる前記コイルが巻装されるコイ
ル巻部と、このコイル巻部の両端側に突出する一対のリード部とを備え、
前記アンテナ枠は、前記磁性体コアの一対の前記リード部に対応した一対のリード保持
部を備え、
前記アンテナ枠の一対の前記リード保持部を、所定間隔で開けて位置決めし、
これらの前記リード保持部間に、前記コイル巻部を位置決めするコイル位置決め部を配
置し、
前記コイル位置決め部により前記磁性体コアの前記コイル巻部を位置決めするとともに
、一対の前記リード保持部に前記リード部を配置して、これらの前記リード保持部に前記
リード部を固定することを特徴とするアンテナの製造方法。
【発明の詳細な説明】
【技術分野】
【０００１】
本発明は、アンテナにより外部無線情報を受信可能なアンテナ内蔵式電子時計、およびアンテナ内蔵式電子時計に内蔵されるアンテナの製造方法に関する。
【背景技術】
【０００２】
従来、外部から時刻情報を有する外部無線情報をアンテナにて受信し、時刻修正などの処理を実施する電波修正時計などのアンテナ内蔵式電子時計が知られている（例えば、特許文献１）。
【０００３】
特許文献１に記載のものは、内部に電波を受信するアンテナを備えた時計である。
この時計におけるアンテナは、コアケースにコアを収納し、その上からコイルが巻装される構成が採られている。
また、コアケースが設けられず、コアに直接コイルが巻装される構成も挙げられている。
【０００４】
【特許文献１】特開２００７−１８４８９４号公報
【発明の開示】
【発明が解決しようとする課題】
【０００５】
ところで、上記特許文献１に示されるような従来のアンテナでは、コアケースにコアを収納した上でコアケースにコイルが巻装される。このような構成では、コアとコイルとの間にコアケースが介在するため、コアとコイルとの距離がコアケースの厚み分だけ離れてしまい、アンテナ特性が悪化するという問題がある。また、コアケースが設けられず、コアに直接コイルが巻装される例も示されているが、アンテナをモジュール内に組み込む際に、コアケースがないため、アンテナの固定が困難であるという問題がある。また、コアのリード部を直接モジュールに取り付けるなどすることも考えられるが、この場合では、衝撃によりコアが破損されやすく、耐久面で悪影響が出るという問題もある。
【０００６】
本発明は、上記のような問題に鑑みて、良好なアンテナ特性が得られるアンテナ内蔵式電子時計、およびアンテナの製造方法を提供することを目的とする。
【課題を解決するための手段】
【０００７】
本発明のアンテナ内蔵式電子時計は、磁性材料により形成される長手状の磁性体コア、この磁性体コアに巻装されるコイル、および前記磁性体コアを保持するアンテナ枠を有するとともに、外部無線情報を受信するアンテナと、このアンテナを内部に収納するモジュールと、を備えたアンテナ内蔵式電子時計であって、
前記磁性体コアは、長手方向における中央部に設けられる前記コイルが巻装されるコイル巻部と、このコイル巻部の両端側に突出する一対のリード部とを備え、
前記アンテナ枠は、前記磁性体コアの一対の前記リード部に対応した一対のリード保持部を備え、前記コイル巻部には、アンテナ枠が介在せず、一対の前記リード部のみが一対の前記リード保持部により保持されることを特徴とする。
【０００８】
この発明によれば、磁性体コアのコイル巻部には、アンテナ枠が配置されず、直接コイルが巻装されるため、磁性体コアとコイルとの間の隙間がない、または隙間寸法が小さく設定され、アンテナ特性を良好にできる。また、磁性体コアの両端部に設けられるリード部がアンテナ枠により保持されているため、このアンテナ枠をモジュールに組み込むことによりアンテナの組み込みが容易に実施できる。また、時計に衝撃が加わった際、この衝撃をアンテナ枠で受けることができるため、磁性体コアへの衝撃を緩和することができ、磁性体コアの破損を防止することができる。
【０００９】
また、本発明のアンテナ内蔵式電子時計では、一対の前記リード保持部は、それぞれ前記モジュールに取り付けられる固定部を備え、これらの固定部をモジュールに固定することで前記アンテナをモジュールに固定することが好ましい。
この発明によれば、アンテナ枠の固定部をモジュールに固定することでアンテナをモジュールへ固定する。ここで、固定部としては、例えばモジュールの所定位置にねじ止め可能なねじ孔が設けられる構成としてもよく、ピン部材などを設け、モジュールに係合させることでアンテナを固定する構成などとしてもよい。このような固定部を設けることで、容易にアンテナのモジュールへの組み込みが実施でき、時計組み立て作業における作業効率を向上させることができる。
【００１０】
さらに、本発明のアンテナ内蔵式電子時計では、前記磁性体コアは、複数の磁性箔材が積層されて形成され、前記コイル巻部には、周面に被覆部材により被覆部が形成されるとともに、この被覆部の周面上に前記コイルが巻装されることが好ましい。
この発明によれば、コイル巻部の周面に被覆部材により被覆部が形成され、この被覆部の上からコイルが巻装される。したがって、コイル巻部において、積層される磁性箔材が被覆部により押えられるため、各磁性箔材間が密着され、隙間が生じない。したがって、磁性箔材間に隙間が生じることによる反磁性の影響を無くすことができ、アンテナ特性の低下を抑えることができる。
【００１１】
そして、本発明のアンテナ内蔵式電子時計における前記アンテナの製造方法は、磁性材料により形成される長手状の磁性体コア、この磁性体コアに巻装されるコイル、および前記磁性体コアを保持するアンテナ枠を有するとともに、外部無線情報を受信するアンテナと、このアンテナを内部に収納するモジュールと、を備えたアンテナ内蔵式電子時計におけるアンテナの製造方法であって、前記磁性体コアは、長手方向における中央部に設けられる前記コイルが巻装されるコイル巻部と、このコイル巻部の両端側に突出する一対のリード部とを備え、前記アンテナ枠は、前記磁性体コアの一対の前記リード部に対応した一対のリード保持部、およびこれらのリード保持部を連結するリード連結部材を備え、前記リード連結部材により連結された一対のリード保持部に前記磁性体コアの一対のリード部を配置して固定し、前記磁性体コアが前記リード保持部に固定された状態で、前記リード連結部材を一対の前記リード保持部から切断することを特徴とする。
【００１２】
この発明によれば、アンテナ枠は、一対のリード保持部を連結するリード連結部材を有している。そして、リード保持部間に磁性体コアを配置して固定した後、リード連結部材を切断する。これにより、一対のリード保持部の位置関係がリード連結部材に規制された状態で、磁性体コアおよびコイルが設置される。ここで、リード連結部材は、モジュールの所定位置にアンテナを正確に設置可能となるように、一対にリード保持部を連結してその位置関係を保持する。また、磁性体コアがリード保持部に保持された後、接着などにより固定されるため、リード連結部材を切断したとしても、これらリード保持部の位置関係が保持される。したがって、モジュールにアンテナを組み込む際に、例えば一対のリード保持部のうちの一方が、モジュール内の所定固定位置からずれた位置に配置されるなどの不都合がなく、これらのリード保持部をモジュール内の所定固定位置に容易に固定することができる。
【００１３】
また、本発明のアンテナ内蔵式電子時計における前記アンテナの製造方法は、磁性材料により形成される長手状の磁性体コア、この磁性体コアに巻装されるコイル、および前記磁性体コアを保持するアンテナ枠を有するとともに、外部無線情報を受信するアンテナと、このアンテナを内部に収納するモジュールと、を備えたアンテナ内蔵式電子時計におけるアンテナの製造方法であって、前記磁性体コアは、長手方向における中央部に設けられる前記コイルが巻装されるコイル巻部と、このコイル巻部の両端側に突出する一対のリード部とを備え、前記アンテナ枠は、前記磁性体コアの一対の前記リード部に対応した一対のリード保持部を備え、前記アンテナ枠の一対の前記リード保持部を、所定間隔で開けて位置決めし、これらの前記リード保持部間に、前記コイル巻部を位置決めするコイル位置決め部を配置し、前記コイル位置決め部により前記磁性体コアの前記コイル巻部を位置決めするとともに、一対の前記リード保持部に前記リード部を配置して、これらの前記リード保持部に前記リード部を固定する方法であってもよい。
【００１４】
この発明によれば、一対のリード保持部、およびコイル位置決め部によるコイル巻部の位置を決定して位置決めする。そして、このリード保持部間に、コイル巻部がコイル位置決め部により位置決めする所定位置に配置される状態に、磁性体コアを配置し、リード保持部にリード保持部を固定する。これにより、上記発明と同様に、一対のリード保持部をモジュールに対応して正確な位置関係に保持することができる。したがって、容易にモジュールにアンテナを取り付けることができる。
【発明を実施するための最良の形態】
【００１５】
［第一の実施の形態］
以下、本発明に係る第一の実施の形態について、図面に基づいて説明する。
図１は、本発明の第一の実施の形態に係るアンテナ内蔵式電子時計としての電波修正時計の正面図である。
【００１６】
図１において、電波修正時計１は、指針１１，１２，１３および文字板１４を備えた指針式時計（アナログ時計）であり、時刻情報を有する外部無線情報としての長波標準電波を受信して、受信した時刻情報に基づいて指針１１，１２，１３を指針位置の修正を実施可能な時計である。
この電波修正時計１は、指針１１，１２，１３と、文字板１４と、標準電波を受信するアンテナ２１および指針１１，１２，１３の駆動を制御する各種構成が組み込まれたモジュール１０（図２参照）と、これらの指針１１，１２，１３、文字板１４、モジュール１０などを内部に収納する外装ケース１００と、を備えている。
【００１７】
〔モジュールの構成〕
電波修正時計１を構成するモジュール１０を図２ないし図５に基づいて説明する。
図２は、前記第一の実施の形態の電波修正時計を裏蓋側からみた概略構成を示す平面図である。
図３は、前記第一の実施の形態の電波修正時計の概略構成を示すブロック図である。
図４は、前記第一の実施の形態の電波修正時計の受信回路部の構成を示すブロック図である。
図５は、前記第一の実施の形態の電波修正時計の厚み方向に断面した際の側断面図である。
【００１８】
モジュール１０は、平面視円形状で合成樹脂製のモジュール中枠１０１を有している。このモジュール中枠１０１（図５参照）の側面には、径方向に向かって外装ケース１００の内周面に当接する複数の突出部（図示せず）が形成され、これらの突出部は、外装ケース１００の内周面に沿って配置されている。
モジュール中枠１０１の側面で突出部が形成されていない部分においては、モジュール中枠１０１の側面の全周にわたって外装ケース１００の内周面と突出部の突出寸法分の隙間が形成されている。
そして、モジュール１０は、外装ケース１００内に収納される際、モジュール中枠１０１に設けられた各突出部が外装ケース１００の内面とそれぞれ当接することで位置が固定される。
【００１９】
また、モジュール１０には、受信ＩＣ８６、ＣＰＵ８７、基準振動子３１１（図２参照）などが取り付けられた回路基板８０（図５参照）、駆動手段４の一部を構成するモータ４１１，４２１や輪列などが組み込まれた時計体（ムーブメント）、電力供給手段７を構成する高容量二次電源（二次電池）７２などの各構成部材が組み込まれている。さらに、モジュール１０には、外装ケース１００に近接する位置に電波を受信する前記アンテナ２１が組み込まれている。
モジュール１０に組み込まれる回路基板８０には、図３に示すように、受信した電波を処理する受信手段２と、駆動制御回路部３と、指針を駆動する駆動手段４と、時刻をカウントするカウンタ部６と、が各種回路構成として設けられている。
【００２０】
受信手段２は、電波を受信するアンテナ２１と、コンデンサなどで構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
【００２１】
同調回路部２２は、図４に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００２２】
受信回路部２３は、図４に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路部２３で受信され信号処理された時刻データは、図３に示すように、時刻デー
タ記憶回路部２４に出力されて記憶される。
受信回路部２３は、予め設定されたスケジュールや外部入力装置８による強制受信操作などによって、駆動制御回路部３から出力される受信制御信号に基づいて時刻情報の受信を開始する。
【００２３】
駆動制御回路部３には、図３に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。なお、この基準振動子３１１は、ＣＰＵ８７に接続されて、回路のクロック信号となるが、周波数が長波受信周波数に近く、アンテナ２１にノイズとして信号が混入する可能性があるため、アンテナ２１から離して配置されている。
【００２４】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各駆動回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、文字板、モータ４１１，４２１、駆動回路４１，４２によって時刻を表示する時刻表示手段が構成されている。なお、時刻表示手段としては、１つのモータで、時針、分針、秒針を駆動するものでもよい。
【００２５】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンタ値が修正される。
【００２６】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのクロックパルスをカウントする（正確には１Ｈｚを６０回計数したところで１カウントとする）。また、受信手段２で時刻データを受信した場合には、この時刻データのうちの時分データに合わせてカウンタ値が修正される。
【００２７】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００２８】
電力供給手段７は、自動巻発電機や太陽電池（ソーラー発電機）などによって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池などの一次電池を用いてもよい。また、高容量二次電源７２は、ステンレス製のケースで構成されており、アンテナ特性への影響を抑えるため、図２に示すように、モジュール１０内においてアンテナ２１から離れた時計の３時方向の位置に配置されている。
【００２９】
外部入力手段としての外部入力装置８は、リュウズなどを備え、受信動作や時刻合わせなどを行うために利用される。
【００３０】
（アンテナの構成）
図６は、電波修正時計１におけるアンテナ２１を拡大した拡大平面図である。図７は、アンテナ２１のコイル２１２が巻装される部分を断面した断面図である。
【００３１】
アンテナ２１は、磁性体コア２１１と、磁性体コア２１１に巻装されるコイル２１２と、磁性体コア２１１を保持するアンテナ枠２１３と、により構成されている。
このアンテナ２１は、図２に示すように、平面形状が外装ケース１００の胴部を構成するケーシング１１０の内周とほぼ同心円の円弧長手状に形成されており、モジュール中枠１０１の内側面に沿って時計の９時方向の位置に配置されている。
【００３２】
磁性体コア２１１は、アンテナ２１の長手方向に沿って長手状に形成されている。この磁性体コア２１１は、略中心部にコイル２１２が巻装されるコイル巻部２１１Ａと、コイル巻部２１１Ａの両端側から延出するリード部２１１Ｂとを備えている。
この磁性体コア２１１は、例えば、磁性箔材としてのコバルト系のアモルファス箔（例；Ｃｏ５０ｗｔ％以上のアモルファス箔）を型で打ち抜くか、エッチングで成形したものを１０〜３０枚程接着して重ね合わせ、焼鈍などの熱処理を行って磁気特性を安定化させたものである。すなわち、磁性体コア２１１は、平面状のアモルファス箔を時計の厚み方向に積層して構成されている。なお、磁性体コア２１１としては、積層アモルファス箔に限定されず、フェライトを用いてもよく、この場合には、型などで成形し、熱処理して製造すればよい。
【００３３】
また、磁性体コア２１１のリード部２１１Ｂは、図６に示すように、アンテナ枠２１３により保持されている。このアンテナ枠２１３は、一対のリード部２１１Ｂに対応した一対のリード保持部２１４を備えている。これらのリード保持部２１４は、図６に示すように、磁性体コア２１１のリード部２１１Ｂの形状に対応した保持凹部２１４Ａを備え、この保持凹部２１４Ａにリード部２１１Ｂを接着固定することにより磁性体コア２１１を保持している。具体的には、リード保持部２１４は、保持凹部２１４Ａ内に、凹部内壁面から所定の隙間寸法を開けてリード部２１１Ｂを配置し、この隙間に接着剤を充填して接着層２１４Ｃを形成することでリード部２１１Ｂを保持する。
また、リード保持部２１４の所定位置には、固定部としての固定孔２１４Ｂが形成されている。この固定孔２１４Ｂは、モジュール１０の地板１０Ａに予め設けられる図示しないアンテナ固定孔に対向する位置にそれぞれ設けられる。そして、例えばねじをこの固定孔２１４Ｂおよびアンテナ固定孔に螺合させることで、アンテナ２１がモジュール１０に組み付けられる。
【００３４】
また、磁性体コア２１１は、一対のリード部２１１Ｂのみがアンテナ枠２１３により保持される。このコイル巻部２１１Ａには、アンテナ枠２１３が設けられず、図７に示すように、外周面に沿って、例えば非磁性部材からなる被覆部材としてのテープ部材を巻きつけられた被覆部としてのテーピング部２１１Ｃが形成される。このテーピング部２１１Ｃは、コイル巻部２１１Ａにおけるアモルファス箔の剥離を防止する。すなわち、磁性体コア２１１は、上記したように複数のアモルファス箔を積層することで構成されている。このため、アンテナ枠２１３に保持されないコイル巻部２１１Ａでは、例えば重力や反磁性の影響などにより、これら積層アモルファス箔間が剥離するおそれがあり、テーピング部２１１Ｃは、このようなアモルファス箔間の剥離を防止している。
また、テーピング部２１１Ｃは、上記に加えて、磁性体コア２１１とコイル２１２との絶縁や、コイル巻部２１１Ａの端部によるコイル２１２の断線防止の機能をも有する。
なお、このテーピング部２１１Ｃの厚み寸法は、十分に小さいものであり、テーピング部２１１Ｃの厚みによりアンテナ特性が低下することはない。
【００３５】
そして、磁性体コア２１１のコイル巻部２１１Ａには、テーピング部２１１Ｃ上にコイル２１２が巻装される。
このコイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。
【００３６】
また、アンテナ２１と受信ＩＣ８６とは２本の配線で接続されている。すなわち、コイル２１２をアンテナ端部から取り出して回路基板８０にはんだ付けすることにより、アンテナ２１と受信ＩＣ８６とは電気的に接続されている。これにより、アンテナ２１で受信された標準電波が受信手段２に出力可能となる。なお、前記電気的接続は、アンテナ２１にポリイミドなどからなるフレキシブル基板を取り付け、この基板を回路基板８０にネジ留めすることなどで行ってもよい。
【００３７】
〔外装ケースの構成〕
次に、電波修正時計１の外装ケース１００の構成について説明する。
外装ケース１００は、図２および図５に示すように、胴部としてのケーシング１１０と、ケーシング１１０の表面側に装着された風防ガラス１２０と、ケーシング１１０の裏面（下端面）側に着脱可能に取り付けられた金属製の裏蓋１４０とを備えている。ケーシング１１０は、例えばステンレス鋼、真鍮、チタンなどの金属材で構成されている。このケーシング１１０は、略円筒状に形成され、内周面が平面略円形に形成されている。なお、裏蓋１４０やケーシング１１０には、アンテナ２１で電波を受信することで発生する副磁路による渦電流を防止するための磁性部材が設けられる構成などとしてもよい。
【００３８】
〔アンテナの製造方法〕
次に、上記したアンテナ２１の製造方法について説明する。
図８は、磁性体コア２１１が取り付けられる前のアンテナ枠２１３の構成を示す平面図である。図９は、図８において、リード保持部２１４に磁性体コア２１１を固定した状態を示す図である。図１０は、図９において、リード連結部材２１５を切断した状態を示す図である。図１１は、図９において、リード連結部材２１５を切断する際の、Ｘ−Ｘ線を断面した断面図である。
【００３９】
アンテナ２１の製造では、図８に示すようなアンテナ枠２１３を用いる。このアンテナ枠２１３では、一対のリード保持部２１４がリード連結部材２１５により連結固定されている。ここで、リード連結部材２１５は、一対のリード保持部２１４の双方をモジュール１０の地板１０Ａに載置した際に、地板１０Ａに設けられる一対のアンテナ固定孔に、リード保持部２１４の固定孔２１４Ｂがそれぞれ対向する状態に、一対のリード保持部２１４の位置関係を保持した状態でこれらのリード保持部２１４を連結している。また、リード保持部２１４とリード連結部材２１５との連結部には、図１１に示すように、切り込み凹部２１５Ａが形成されている。
【００４０】
そして、アンテナ２１の製造では、アンテナ枠２１３に磁性体コア２１１を組み込む前に、先ず磁性体コア２１１を形成する。これには、例えば、複数のアモルファス箔を積層し、例えば接着剤が充填された槽内にこの積層アモルファス箔を浸してアモルファス箔の積層間に接着剤を浸透させる。その後、槽から積層アモルファス箔を取り出し、接着剤を固化させて磁性体コア２１１を形成する。
次に、この磁性体コア２１１をアンテナ枠２１３のリード保持部２１４に保持させる。具体的には、リード保持部２１４の保持凹部２１４Ａに磁性体コア２１１のリード部２１１Ｂを保持させる。そして、保持凹部２１４Ａと磁性体コア２１１との隙間に接着剤を充填させて接着層２１４Ｃを形成し、リード保持部２１４にリード部２１１Ｂを固定する。この後、図９に示すように、磁性体コア２１１のコイル巻部２１１Ａにテープ部材を巻き付けてテーピング部２１１Ｃを形成し、コイル巻部２１１Ａにおけるアモルファス箔の剥離を防止する。
【００４１】
この後、図１１に示すように、切り込み凹部２１５Ａに沿って、例えばカッターなどの刃を入れ、図１０に示すように、リード連結部材２１５をリード保持部２１４から切断し、コイル巻部２１１Ａにコイル２１２を巻装してアンテナ２１を製造する。
【００４２】
このアンテナ２１は、リード部２１１Ｂがリード保持部２１４に接着されているため、リード連結部材２１５を切断したとしてもリード保持部２１４の位置関係が保持されたままとなる。したがって、このアンテナ２１をモジュール１０の地板１０Ａ上に配置し、固定孔２１４Ｂを暗点固定孔に対してねじ止めすることでアンテナ２１がモジュール１０に組み込まれる。
【００４３】
〔電波修正時計の作用効果〕
上述したように、上記実施の形態の電波修正時計１では、アンテナ２１は、コイル巻部２１１Ａおよび一対のリード部２１１Ｂを有する磁性体コア２１１と、コイル２１２と、一対のリード保持部２１４により構成されるアンテナ枠２１３とを備えている。そして、磁性体コア２１１のリード部２１１Ｂのみがリード保持部２１４により保持され、コイル巻部２１１Ａは、アンテナ枠２１３により保持されず、直接コイル２１２が巻装されている。
このため、コイル巻部２１１Ａとコイル２１２との間にアンテナ枠２１３が介在せず、コイル巻部２１１Ａを通過する磁束線により、良好にコイル２１２の電磁誘導が実施でき、アンテナ特性を向上させることができる。また、リード部２１１Ｂがリード保持部２１４により保持されるため、このリード保持部２１４をモジュール１０の所定位置に固定することで容易にアンテナ２１をモジュール１０に組み付けることができる。この時、磁性体コア２１１やコイル２１２がモジュール１０に当接しないため、電波修正時計１に衝撃が加わった場合でも磁性体コア２１１やコイル２１２に応力が加わらず、破損を防止することができる。
【００４４】
また、リード保持部２１４は、固定孔２１４Ｂを有し、この固定孔２１４Ｂからモジュール１０の地板１０Ａに設けられるアンテナ固定孔にねじを螺合させてアンテナ２１を固定する。このため、アンテナ２１の固定がねじ止めにより容易に実施できるとともに、固定孔２１４Ｂとアンテナ孔とを合わせるだけで、容易にアンテナ２１の位置決め実施できる。したがって、電波修正時計１の組み立て作業効率を向上させることができる。
【００４５】
さらに、コイル巻部２１１Ａにテーピング部２１１Ｃが形成されている。このため、磁性体コア２１１を形成する積層アモルファス箔の各アモルファス箔間の剥離を防止でき、アモルファス箔間に生じる反磁性作用を抑制できる。したがって、アンテナ２１のアンテナ特性の低下をより一層抑えることができ、受信感度をより良好にできる。これに加えて、非磁性部材のテーピング２１１Ｃにより被覆することで、磁性体コア２１１とコイル２１２とを絶縁することができ、磁性体コア２１１の端部によりコイル２１２が断線される不都合をも防止することができ、良質なアンテナ特性を維持することができる。
【００４６】
さらに、上記のようなアンテナ２１を製造する際には、一対のリード保持部２１４が、モジュール１０の設置位置に対応した位置関係で、リード連結部材２１５で連結されたアンテナ枠２１３を用い、このアンテナ枠２１３のリード保持部２１４に磁性体コア２１１のリード部２１１Ｂを固定した後、リード連結部材２１５を切断する。
このため、リード連結部材２１５が切断された後も磁性体コア２１１により一対のリード保持部２１４の位置関係が保持され、アンテナ２１をモジュールに組み込む際に固定作業を容易にできる。したがって、時計組み立て工程における作業効率を向上させることができる。
【００４７】
［第二の実施の形態］
次に、本発明の第二の実施の形態の電波修正時計について図面に基づいて説明する。
第二の実施の形態の電波修正時計は、第一の実施の形態の電波修正時計１と同一構成を有するものであり、アンテナ２１の製造方法が異なる。図１２は、第二の実施の形態の電波修正時計のアンテナの製造における一工程を示す図である。
すなわち、第二の実施の形態の電波修正時計１におけるアンテナでは、図１２に示すようにリード保持部２１４を位置決めする。
具体的には、一対のリード保持部２１４の双方をモジュール１０の地板１０Ａに載置した際に、地板１０Ａに設けられる一対のアンテナ固定孔に、リード保持部２１４の固定孔２１４Ｂがそれぞれ対向する位置関係の状態に、これら一対のリード保持部２１４がそれぞれ組立台座部２１６上に立設されたピン部材２１６Ａにより位置決めされる。また、この時、磁性体コア２１１のコイル巻部２１１Ａが配置される位置に、コイル位置決め部としてのピン部材２１６Ｂを立設する。つまり、一対のピン部材２１６Ｂによりコイル巻部２１１Ａの端部を挟持可能な状態に、コイル巻部２１１Ａの両端部に対応して、それぞれ１組ずつピン部材２１６Ｂを立設する。
そして、これらのリード保持部２１４間に、予めアモルファス箔を積層して形成された磁性体コア２１１を配置する。この時、コイル巻部２１１Ａの両端部がそれぞれ一対のピン部材２１６Ｂにより挟持される状態に磁性体コア２１１を配置する。また、第一の実施の形態と同様に、リード保持部２１４の保持凹部２１４Ａに磁性体コア２１１のリード部２１１Ｂを保持させる。そして、保持凹部２１４Ａと磁性体コア２１１との隙間に接着剤を充填させて接着層２１４Ｃを形成し、リード保持部２１４にリード部２１１Ｂを固定する。この後、磁性体コア２１１のコイル巻部２１１Ａにテープ部材を巻装させてテーピング部２１１Ｃを形成し、このテーピング部２１１Ｃの周面にコイル２１２を巻装させてアンテナ２１を製造する。
【００４８】
このアンテナ２１は、リード部２１１Ｂがリード保持部２１４に接着されているため、ピン部材２１６Ａ，２１６Ｂを外した後も、リード保持部２１４の位置関係が保持されたままとなる。したがって、このアンテナ２１をモジュール１０の地板１０Ａ上に配置し、固定孔２１４Ｂを暗点固定孔に対してねじ止めすることで、アンテナ２１をモジュール１０に容易に取り付けることが可能となる。
【００４９】
〔第二の実施の形態の作用効果〕
上記第二の実施の形態では、上記第一の実施の形態の電波修正時計１と同一構成を有するため、同様の作用効果が得られ、すなわち、コイル巻部２１１Ａにアンテナ枠２１３を介せず、コイル２１２が巻装されることによりアンテナ特性を向上させることができる。
【００５０】
これに加えて、上記第二の実施の形態では、アンテナ２１の製造時に、リード保持部２１４を組立台座部２１６に位置決めして、磁性体コア２１１を設置する。したがって、リード保持部２１４の位置関係を保持するためのリード連結部材２１５が不要となり、アンテナ枠２１３の製作コストを下げることができる。また、第一の実施の形態と同様に、モジュール１０のアンテナ２１の設置位置に応じたリード保持部２１４の位置関係を保持することができるため、モジュール１０へのアンテナ２１の取付作業も容易に実施でき、作業効率を向上させることができる。
【００５１】
そして、ピン部材２１６Ｂにより磁性体コア２１１のコイル巻部２１１Ａの配置位置をも決定することができるため、より適切に磁性体コア２１１をリード保持部２１４に保持させることができる。
【００５２】
［他の実施の形態］
なお、本発明は前述の実施形態に限定されるものではなく、本発明の目的を達成できる範囲での変形、改良などは本発明に含まれるものである。
【００５３】
例えば、上記第二の実施の形態において、ピン部材２１６Ｂにより磁性体コア２１１のコイル巻部の位置を規制した状態で磁性体コア２１１をリード保持部２１４に固定する例を示したが、これに限定されない。例えば、図１３に示すように、リード保持部２１４の保持凹部２１４Ａにリード部２１１Ｂの位置を決定する突出部２１４Ｄを設け、この突出部２１４Ｄでリード部２１１Ｂを保持することで磁性体コア２１１を位置決めするものであってもよい。この場合でも、上記第一および第二の実施の形態と同様に、磁性体コア２１１をリード保持部２１４の適切な位置に保持させて固定することができるため、モジュール１０へのアンテナ２１の取付作業が容易になり、作業効率を向上させることができる。
【００５４】
また、リード保持部２１４のモジュール１０への取付として、固定孔２１４Ｂから地板１０Ａのアンテナ固定孔にねじを螺合させて固定する固定方法を例示したがこれに限定されない。例えば、地板１０Ａにリード保持部２１４を嵌合させる嵌合凹部を設け、この嵌合凹部にリード保持部２１４を嵌合させることでアンテナ２１をモジュール１０に取り付ける構成としてもよい。
【００５５】
さらに、リード保持部２１４間にリード連結部材２１５が連結された状態でアンテナ２１がモジュール１０に取り付けられる構成などとしてもよい。この場合、例えば、一対のリード保持部２１４の互いに対向する辺に直線状のリード連結部材２１５を設ける構成などとすることで、アンテナ２１の大型化を抑制できる。
【００５６】
その他、本発明の実施の際の具体的な構造および手順は、本発明の目的を達成できる範囲で他の構造などに適宜変更できる。
【図面の簡単な説明】
【００５７】
【図１】本発明の第一の実施の形態に係るアンテナ内蔵式電子時計としての電波修正時計の正面図である。
【図２】前記第一の実施の形態の電波修正時計を裏蓋側からみた概略構成を示す平面図である。
【図３】前記第一の実施の形態の電波修正時計の概略構成を示すブロック図である。
【図４】前記第一の実施の形態の電波修正時計の受信回路部の構成を示すブロック図である。
【図５】前記第一の実施の形態の電波修正時計の厚み方向に断面した際の側断面図である。
【図６】前記第一の実施の形態の電波修正時計におけるアンテナを拡大した拡大平面図である。
【図７】前記第一の実施の形態のアンテナのコイル巻部近傍を断面した断面図である。
【図８】前記第一の実施の形態において、磁性体コアが取り付けられる前のアンテナ枠の構成を示す平面図である。
【図９】図８において、リード保持部に磁性体コアを固定した状態を示す図である。
【図１０】図９において、リード連結部材を切断した状態を示す図である。
【図１１】図９において、リード連結部材を切断する際の、Ｘ−Ｘ線を断面した断面図である。
【図１２】第二の実施の形態の電波修正時計のアンテナの製造における一工程を示す図である。
【図１３】他の実施の形態の電波修正時計のアンテナの製造における一工程を示す図である。
【符号の説明】
【００５８】
１…アンテナ内蔵式電子時計としての電波修正時計、１０…モジュール、２１１…磁性体コア、２１１Ａ…コイル巻部、２１１Ｂ…リード部、２１１Ｃ…被覆部としてのテーピング部、２１２…コイル、２１３…アンテナ枠、２１４…リード保持部、２１４Ｂ…固定部としての固定孔、２１５…リード連結部材、２１６Ｂ…コイル位置決め部としてのピン部材。
【図１】
0005169413.tif 000002
【図２】
0005169413.tif 000003
【図３】
0005169413.tif 000004
【図４】
0005169413.tif 000005
【図５】
0005169413.tif 000006
【図６】
0005169413.tif 000007
【図７】
0005169413.tif 000008
【図８】
0005169413.tif 000009
【図９】
0005169413.tif 000010
【図１０】
0005169413.tif 000011
【図１１】
0005169413.tif 000012
【図１２】
0005169413.tif 000013
【図１３】
0005169413.tif 000014